(57)【特許請求の範囲】
【請求項１】
ベース部材およびカバー部材を有し、そのベース部材とカバー部材とを組み付けた状態で形成される内部空間内に、電子部品が搭載された回路基板を内包する基板ボックスを備えた遊技機において、
前記ベース部材またはカバー部材の一方の外縁に設けられ、少なくとも一部が凹状または凸状に形成される第１封印部と、
前記ベース部材またはカバー部材の他方の外縁に設けられ、前記ベース部材とカバー部材とを組み付けた状態で前記第１封印部に当接すると共に、少なくとも一部が凸状または凹状に形成された第２封印部と、
その第２封印部と第１封印部とが当接または対向する部分を、互いに離脱不可能に固着する固着手段とを備え、
前記第１封印部は、前記ベース部材またはカバー部材の一方から外方に凹状または凸状に形成される複数の第１凹凸部を有して構成され、
前記第２封印部は、前記ベース部材またはカバー部材の他方から外方に凸状または凹状に形成される複数の第２凸凹部を有して構成され、
前記ベース部材とカバー部材とを組み付けた状態で、前記第１凹凸部と第２凸凹部とが当接または対向し前記固着手段により固着される部分が複数並設され、
前記ベース部材またはカバー部材の一方の外縁と前記複数の第１凹凸部との間であって、前記複数の第１凹凸部の並設方向において、その第１凹凸部の両端より両側に延設される範囲に貫通形成される複数の第１貫通口と、前記ベース部材またはカバー部材の他方の外縁と前記複数の第２凸凹部との間であって、前記複数の第２凸凹部の並設方向において、その第２凸凹部の両端より両側に延設される範囲に貫通形成される複数の第２貫通口とを備え、
前記第１貫通口および第２貫通口は、前記ベース部材とカバー部材とを組み付けた状態で互いに連通する位置に形成されると共に、前記複数の第１凹凸部および第２凹凸部の並設方向を長手方向とする細長形状に形成され、
前記第１封印部は、前記ベース部材またはカバー部材の一方から、前記ベース部材またはカバー部材の他方側に突出する複数の突出部を有して構成され、
前記第２封印部は、前記ベース部材またはカバー部材の他方に、前記ベース部材とカバー部材とを重ねた状態で、前記突出部が挿通される挿通口を有して構成され、
前記ベース部材に対して前記カバー部材を第１方向にスライドさせると、前記ベース部材とカバー部材とを組み付けた状態になり、
前記突出部は、
前記ベース部材またはカバー部材の他方側に立設される立設部と、
その立設部から前記第１方向の反対方向である反第１方向に延設される延設部とで構成され、
前記挿通口は、
前記延設部が挿入される開口と、
その開口の前記反第１方向側の端部から前記第１方向に向かって前記開口の一部を閉鎖する閉鎖部とで構成されていることを特徴とする遊技機。
【請求項２】
前記基板ボックスは、電子部品が搭載された回路基板を内包可能に構成されていることを特徴とする請求項１記載の遊技機。
【発明の詳細な説明】
【技術分野】
【０００１】
本発明は、パチンコ機等に代表される遊技機に関するものである。
【背景技術】
【０００２】
従来から、演算処理装置であるＭＰＵや記憶装置であるＲＯＭ等の多数の電子部品が搭載された回路基板は、ベース及びカバーを有する基板ボックス内に内包される。その基板ボックスは、回路基板に搭載されたＲＯＭが不正なＲＯＭに交換されたり、回路基板に不正な基板などが取り付けられる不正行為を抑制するために、ベースとカバーとを特殊な封印ネジなどにより連結し開封不可能に構成されている。
【０００３】
具体的には、ベースに封印ネジが螺着されるベース側封印部を設けると共に、カバーに封印ネジが挿通されるカバー側封印部を設け、そのベース側封印部とカバー側封印部とを封印ネジで螺着して、基板ボックスを開封不可能に構成する。よって、ベース側封印部またはカバー側封印部の少なくとも一方を破壊しなければ、基板ボックスを開封することができない。従って、ベース側封印部またはカバー側封印部の破壊状況を確認することで、基板ボックスが開封されたか否かを確認することができる。
また、ベース側封印部とカバー側封印部とは、基板ボックスの複数回の開封を考慮して、複数セット設けられ、そのベース側封印部またはカバー側封印部の破壊状況を確認することで、基板ボックスが開封された回数を簡単に確認できるように構成されていた。
【先行技術文献】
【特許文献】
【０００４】
【特許文献１】特開平１１−３３１９５号公報
【発明の概要】
【発明が解決しようとする課題】
【０００５】
しかしながら、ベース側封印部とカバー側封印部とを開封不可能に封印ネジで螺着する構成では、例えば、パチンコ機の裏面に取り付けられた状態で裏面側に位置する一方の封印部のみを破壊すると、その封印部の破壊を外部から簡単に確認することが困難になる。そのため、基板ボックスが開封されたことを確認することが困難になるので、基板ボックスに対して行われた不正行為を簡単に発見することができないという問題点があった。
【０００６】
本発明は上述した問題点を解決するためになされたものであり、基板ボックスが開封されたことを簡単に確認できると共に、基板ボックスに対して行われる不正行為を抑制できる遊技機を提供することを目的としている。
【課題を解決するための手段】
【０００７】
この目的を達成するために請求項１記載の遊技機は、ベース部材およびカバー部材を有し、そのベース部材とカバー部材とを組み付けた状態で形成される内部空間内に、電子部品が搭載された回路基板を内包する基板ボックスを備えており、前記ベース部材またはカバー部材の一方の外縁に設けられ、少なくとも一部が凹状または凸状に形成される第１封印部と、前記ベース部材またはカバー部材の他方の外縁に設けられ、前記ベース部材とカバー部材とを組み付けた状態で前記第１封印部に当接すると共に、少なくとも一部が凸状または凹状に形成された第２封印部と、その第２封印部と第１封印部とが当接または対向する部分を、互いに離脱不可能に固着する固着手段とを備え、前記第１封印部は、前記ベース部材またはカバー部材の一方から外方に凹状または凸状に形成される複数の第１凹凸部を有して構成され、前記第２封印部は、前記ベース部材またはカバー部材の他方から外方に凸状または凹状に形成される複数の第２凸凹部を有して構成され、前記ベース部材とカバー部材とを組み付けた状態で、前記第１凹凸部と第２凸凹部とが当接または対向し前記固着手段により固着される部分が複数並設され、前記ベース部材またはカバー部材の一方の外縁と前記複数の第１凹凸部との間であって、前記複数の第１凹凸部の並設方向において、その第１凹凸部の両端より両側に延設される範囲に貫通形成される複数の第１貫通口と、前記ベース部材またはカバー部材の他方の外縁と前記複数の第２凸凹部との間であって、前記複数の第２凸凹部の並設方向において、その第２凸凹部の両端より両側に延設される範囲に貫通形成される複数の第２貫通口とを備え、前記第１貫通口および第２貫通口は、前記ベース部材とカバー部材とを組み付けた状態で互いに連通する位置に形成されると共に、前記複数の第１凹凸部および第２凹凸部の並設方向を長手方向とする細長形状に形成され、前記第１封印部は、前記ベース部材またはカバー部材の一方から、前記ベース部材またはカバー部材の他方側に突出する複数の突出部を有して構成され、前記第２封印部は、前記ベース部材またはカバー部材の他方に、前記ベース部材とカバー部材とを重ねた状態で、前記突出部が挿通される挿通口を有して構成され、前記ベース部材に対して前記カバー部材を第１方向にスライドさせると、前記ベース部材とカバー部材とを組み付けた状態になり、前記突出部は、前記ベース部材またはカバー部材の他方側に立設される立設部と、その立設部から前記第１方向の反対方向である反第１方向に延設される延設部とで構成され、前記挿通口は、前記延設部が挿入される開口と、その開口の前記反第１方向側の端部から前記第１方向に向かって前記開口の一部を閉鎖する閉鎖部とで構成されている。
【０００８】
【０００９】
【００１０】
【００１１】
【００１２】
【００１３】
【００１４】
請求項２記載の遊技機は、請求項１記載の遊技機において、前記基板ボックスは、電子部品が搭載された回路基板を内包可能に構成されている。
【００１５】
【００１６】
【００１７】
【００１８】
【発明の効果】
【００１９】
【００２０】
請求項１記載の遊技機によれば、基板ボックスが開封されたことを簡単に確認することができるという効果がある。
【００２１】
【００２２】
請求項２記載の遊技機によれば、請求項１記載の遊技機の奏する効果に加え、基板ボックスに、電子部品が搭載された回路基板を内包することができる。
【００２３】
【００２４】
【図面の簡単な説明】
【００２５】
【図１】パチンコ機の外観を示した斜視図である。
【図２】外枠に対して内枠が開放された状態、及び、内枠に対して前面枠が開放された状態を示した斜視図である。
【図３】パチンコ機の背面側を示した図である。
【図４】制御基板ユニット及び裏パックユニットを分解した状態の斜視図である。
【図５】基板ボックスの外観を示した斜視図である。
【図６】基板ボックスをベース及びカバーに分解した状態の斜視図である。
【図７】基板ボックスの開封手順を示した図である。
【図８】パチンコ機の遊技盤の正面図である。
【図９】パチンコ機の電気的構成を示すブロック図である。
【図１０】ベース封印部及びカバー封印部の変形例を示した図である。
【発明を実施するための形態】
【００２６】
以下、パチンコ遊技機（以下、単に「パチンコ機」という）の一実施形態を、図面に基づいて説明する。図１は、パチンコ機１０の外観を示した斜視図である。
【００２７】
図１に示すように、パチンコ機１０は、略矩形状に組み合わされて外殻が形成される外枠１１と、その外枠１１と略同一の外形形状に形成され外枠１１に対して開閉可能に支持される内枠１２とを有して構成されている。
【００２８】
パチンコ機１０の正面視（図１の矢印Ａ方向視）左側の上下２カ所には、外枠１１に対して内枠１２を開閉可能に支持するヒンジ１３が設けられており、そのヒンジ１３が設けられた側を開閉の軸として内枠１２が正面手前側へ開放される。
【００２９】
内枠１２の前面（正面）側には、その前面を覆う前面枠１４が設けられ、内枠１２の裏面側には、多数の釘や入賞口６３，６４等を有する遊技盤１６（図８参照）が着脱可能に装着される。前面枠１４は、パチンコ機１０の正面視左側の上下２カ所に設けられたヒンジ１５により、内枠１２に対して開閉可能に支持され、ヒンジ１５が設けられた側を開閉の軸として正面手前側へ開放される。
【００３０】
なお、内枠１２の施錠と前面枠１４の施錠とは、シリンダ錠６２の鍵穴（図示せず）に専用の鍵を差し込んで所定の操作を行うことによりそれぞれ解除される。具体的には、シリンダ錠６２に対して専用鍵による所定の解錠操作（本実施形態では右回転操作）が行われることにより内枠１２の施錠状態が解錠され、シリンダ錠６２に対して専用鍵による所定の解錠操作（本実施形態では左回転操作）が行われることにより前面枠１４の施錠状態が解錠される。
【００３１】
前面枠１４は、装飾用の樹脂部品や電気部品等を組み付けたものであり、その略中央部には略楕円形状に開口形成された窓部１４ｃが設けられている。前面枠１４の裏面側には２枚の板ガラスを有するガラスユニット１７が配設され、そのガラスユニット１７を介して遊技盤１６がパチンコ機１０の正面側に視認可能となっている。
【００３２】
前面枠１４には、球を貯留する上皿１８が前方へ張り出して上面を開放した略箱状に形成されており、この上皿１８に賞球や貸出球などが排出される。上皿１８の底面は正面視右側に下降傾斜して形成され、その傾斜により上皿１８に投入された球が、遊技盤１６の前面領域に球を発射する球発射ユニット１１２ａ（図９参照）へと案内される。
【００３３】
また、上皿１８の下方には、枠ボタン１９が設けられている。この枠ボタン１９は、例えば、第３図柄表示装置８１（図９参照）で表示される変動表示の演出パターンを変更したり、リーチ演出時の演出内容を変更したりする場合などに、遊技者により操作されるボタンである。
【００３４】
加えて、前面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、発光ダイオード（ＬＥＤ）等の発光手段を内蔵した電飾部２９〜３１が設けられている。パチンコ機１０においては、これら電飾部２９〜３１が大当たりランプ等の演出ランプとして機能し、大当たり時やリーチ演出時等には内蔵するＬＥＤの点灯や点滅によって各電飾部２９〜３１が点灯または点滅して、大当たり中である旨、或いは大当たり一歩手前のリーチ中である旨が報知される。また、前面枠１４の正面視右中段部には、ＬＥＤ等の発光手段が内蔵され賞球の払い出し中とエラー発生時とを表示可能な表示ランプ３２が設けられている。
【００３５】
なお、本実施形態では、電飾部２９〜３１及び表示ランプ３２に使用される発光手段として、複数の３色ＬＥＤやフルカラーＬＥＤを採用し、電飾部２９〜３１及び表示ランプ３２がフルカラーでの発色（発光）が可能に構成されている。
【００３６】
また、電飾部３０と電飾部３１との間には、発光手段である複数のＬＥＤ３７ａ（図示せず）が設けられた第１図柄表示装置３７が配設されている。第１図柄表示装置３７は、主制御装置１１０（図９参照）で行われる各制御に応じた表示がなされるものであり、主にパチンコ機１０の遊技状態の表示が行われる。複数のＬＥＤ３７ａは、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すものである。なお、ＬＥＤ３７ａは、それぞれのＬＥＤの発光色（例えば、赤、緑、青）が異なるよう構成され、その発光色の組合わせにより、少ないＬＥＤでパチンコ機１０の各種遊技状態を示唆することができる。
【００３７】
ここで、上述したパチンコ機１０が確変中とは、大当たり確率がアップして特別遊技状態へ移行し易い遊技の状態である。さらに、本実施形態における確変中は、第２図柄の当たり確率がアップして第１入球口６４（図８参照）へ球が入球し易い遊技の状態である。また、パチンコ機１０が時短中とは、大当たり確率がそのままで第２図柄の当たり確率のみがアップして第１入球口６４へ球が入球し易い遊技の状態である。また、パチンコ機１０が通常中とは、確変中でも時短中でもない遊技の状態（大当たり確率も第２図柄の当たり確率もアップしていない状態）である。なお、パチンコ機１０の遊技状態に応じて、第１入球口６４に付随する電動役物（図示せず）が開放する時間や、１回の当たりで電動役物が開放する回数を変更するものとしても良い。
【００３８】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット、図示せず）に紙幣やカード等を投入した状態で貸球操作部４０が操作されると、その操作に応じて球の貸出が行われる。
【００３９】
具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１８に供給される。返却ボタン４３は、カードユニットに挿入されたカード等の返却を求める際に操作される。
【００４０】
上皿１８の下側には、その中央部に上皿１８に貯留しきれなかった球を貯留するための下皿２１が上面を開放した略箱状に形成されている。下皿２１の右側には、球を遊技盤１６の前面へ打ち込むために遊技者によって操作される操作ハンドル２２が配設され、かかる操作ハンドル２２の内部には球発射ユニット１１２ａの駆動を許可するためのタッチセンサ（図示せず）と、操作ハンドル２２の回動操作量を電気抵抗の変化により検出する可変抵抗器（図示せず）とが内蔵されている。
【００４１】
操作ハンドル２２が遊技者によって右回りに回転操作されると、タッチセンサがオンされると共に可変抵抗器の抵抗値が操作量に対応して変化し、操作ハンドル２２の回動操作量に応じて変化する可変抵抗器の抵抗値に対応した強さで球が発射され、これにより遊技者の操作に対応した飛び量で遊技盤１６の前面へ球が打ち込まれる。
【００４２】
下皿２１の正面下方部には、下皿２１に貯留された球を下方へ排出する際に操作するための球抜きレバー２３が設けられている。この球抜きレバー２３は、常時、右方向に付勢されており、その付勢に抗して左方向へスライドさせることにより、下皿２１の底面に形成された底面口が開口して、その底面口から球が自然落下して排出される。かかる球抜きレバー２３の操作は、通常、下皿２１の下方に下皿２１から排出された球を受け取る箱（一般に「千両箱」と称される）を置いた状態で行われる。
【００４３】
次に、図２を参照して、外枠１１、内枠１２及び前面枠１４について説明する。図２は、外枠１１に対して内枠１２が開放された状態、及び、内枠１２に対して前面枠１４が開放された状態を示した斜視図である。
【００４４】
図２に示すように、内枠１２は、矩形状に形成されたＡＢＳ樹脂製の内枠ベース４０を主体に構成されており、内枠ベース４０の中央部には、略円形状の中央窓４０ａが形成されている。内枠ベース４０の裏面側には、遊技盤１６（図８参照）の取付部が設けられ、遊技盤１６が着脱可能に装着される。
【００４５】
内枠１２は、前述した上ヒンジ１３，１３により、外枠１１に対して回動可能に支持された扉状の部材である。内枠１２の開閉軸線は、ヒンジ１３，１３が設けられるパチンコ機１０の正面視左側に上下に延設され、この開閉軸線を軸心にして内枠１２はパチンコ機１０の正面手前側に開放される。
【００４６】
内枠１２の外周には、前面側へ突設された外周壁４０ｂが形成されており、その外周壁４０ｂの内側に前面枠１４が配設される。即ち、内枠１２に前面枠１４が取り付けられた状態では、前面枠１４の各側面の外周は、内枠１２の外周壁４０ｂにより囲繞される。このため、前面枠１４と内枠１２との間へ針金や薄板状の工具等を挿入する行為が困難となり、不正行為を抑制することができる。
【００４７】
内枠１２の正面視左上には、配線口４０ｃが内枠ベース４０を貫通して設けられている。配線口４０ｃには、前面枠１４の電飾等に使用する部品の配線が内枠１２の裏面側に挿通され、遊技盤１６の裏面に接続される。
【００４８】
なお、図示しないが、内枠１２には、パチンコ機１０の前面側に円柱状に突出した押しボタン型の開閉スイッチが設けられ、前面枠１４の開閉状態が検出される。この開閉スイッチは、主制御装置１１０（図９参照）に接続され、前面枠１４の開閉状態に応じて処理が行われる。例えば、前面枠１４が開放された場合に、電飾部２９〜３１を点灯させる処理などである。
【００４９】
内枠ベース４０の中央窓４０ａの下側には、平面状の取付面４０ｄが形成されており、この取付面４０ｄに、球を遊技盤１６の前面に発射するための球発射ユニット１１２ａ（図９参照）等が取り付けられる。また、内枠ベース４０の中央窓４０ａの左側下方には、払出ユニット９３（図３参照）から払い出された球を上皿１８へ供給するための供給路４０ｅが形成されている。
【００５０】
内枠ベース４０の正面視右側部には、後述する前面枠鉤部１４ａが挿通する内枠貫通口４０ｆが上下方向に３つ形成されている。また、下方の内枠貫通口４０ｆと中段の内枠貫通口４０ｆとの間には、施錠ユニット６０のシリンダ錠６２を正面側に突出させる開口４０ｇが形成されている。
【００５１】
前面枠１４は、矩形状に形成されたＡＢＳ樹脂製の前面枠ベース５０を主体に構成されており、前面枠ベース５０の中央部には遊技領域のほとんどを外部から視認することができるよう略楕円形状に開口形成された窓部１４ｃが設けられている。
【００５２】
前面枠１４の裏面側の上部左右には、音声出力装置２２６の１つであるスピーカ５１が取り付けられている。このスピーカ５１は、音声ランプ制御装置１１３（図９参照）により制御され、遊技状態の応じた音声出力を行ったり、エラーの報知等を行うものである。
【００５３】
前面枠１４の裏面側の窓部１４ｃの右下側には、内枠ベース４０に設けられた供給路４０ｅから払い出された球を、上皿１８に導くための受け皿５２が形成されている。この受け皿５２を介して、払出ユニット９３から払い出された球が上皿１８に供給される。
【００５４】
受け皿５２の隣には、上皿１８および下皿２１に球を排出する通路を形成する通路形成部材５３が設けられている。通路形成部材５３は、上皿１８が満タンのときに球を下皿２１へ排出するための下皿排出通路（図示せず）と、ファール球を下皿２１へ排出するためのファール球通路（図示せず）とを形成するための部材である。ここで、ファール球とは、発射時の打ち出し力（発射力）が弱くて戻り球防止部材６８（図８参照）が位置する遊技領域の入口に到達せずに発射レール６１，６２（図８参照）側へ戻った球を意味している。
【００５５】
排出通路の途中には、各スイッチ２０８の１つとして、下皿２１が球で満タンとなっていることを検出するための満タンセンサ（図示せず）が設けられている。なお、排出通路の満タンが満タンセンサにより検出されると、「球を抜いて下さい」等のエラーメッセージが第３図柄表示装置８１（図９参照）に表示されたり、スピーカ５１から音声出力される。
【００５６】
前面枠１４の裏面側の左側には、前面枠１４の背面側に突出して鉤状に形成された３つの前面枠鉤部１４ａが一体的に形成されている。この前面枠鉤部１４ａが内枠１２の内枠貫通口４０ｆを挿通し、内枠１２の裏面側に設けられる施錠ユニット６０により施錠されて、前面枠１４が内枠１２に対して閉鎖される。また、下方の前面枠鉤部１４ａと中段の前面枠鉤部１４ａとの間には、シリンダ錠６２を前面枠１４の前面に露出させる開口１４ｂが形成されている。
【００５７】
前面枠１４の裏面側の窓部１４ｃの左側下方には、球出口５４が設けられている。この球出口５４は、上皿１８の最下流部に設けられ、前面枠１４の閉鎖時に上皿１８の球を球発射ユニット１１２ａに導く導入口である。
【００５８】
外枠１１は、板材により上下左右の四辺を構成して、全体として矩形状に形成されている。板材は、上述したヒンジ１３が取り付けられる天井板１１ａと、同様にヒンジ１３が取り付けられる底板１１ｂと、その底板１１ｂと天井板１１ａとを連結する側板１１ｃ，１１ｄ（図２において側板１１ｃは視認不可）とで構成されている。側板１１ｃ、１１ｄは、パチンコ機１０の正面視において、左側が側板１１ｃであり、右側が側板１１ｄである。
【００５９】
また、本実施形態では、天井板１１ａ及び底板１１ｂが木製であり、側板１１ｃ，１１ｄがアルミ製である。よって、側板１１ｃ，右側板１１ｄをアルミ製にすることで、外枠１１の強度を高めることができる。また、側板１１ｃ、１１ｄが不正に破壊させることを抑制できるので、外枠１１を破壊して内枠１２を開放するなどの不正行為の発生を抑制することができる。なお、天井板１１ａ、底板１１ｂ及び側板１１ｃ、１１ｄの材質は、特に限定せずに、如何なる材質で構成しても良い。
【００６０】
側板１１ｄは、内枠１２が外枠１１に対して閉鎖された状態で、施錠ユニット６０が設けられた側に位置する側板であり、その側板の正面側には、外枠カバー１１ｅが設けられている。外枠カバー１１ｅは、側板１１ｄから外枠１１の内側方向に突出すると共に、側板１１ｄの上下方向の全域に亘って形成されている。
【００６１】
ここで、パチンコ機に対しては、薄板状の工具等を部材間の隙間から差し入れて行う不正行為が報告されているが、本実施形態のパチンコ機１０においては、外枠１１の外側から工具等を差し入れて内枠１２を不正に開放する行為を、外枠カバー１１ｅにより阻止できるので、不正行為の発生を抑制することができる。
【００６２】
次に、図３及び図４を参照して、パチンコ機１０の背面側について説明する。図３は、パチンコ機１０の背面側を示した図であり、図４は、制御基板ユニット９０，９１及び裏パックユニット９４を分解した状態の斜視図である。
【００６３】
図３に示すように、パチンコ機１０の背面側には、制御基板ユニット９０，９１と、裏パックユニット９４とが主に配設されている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６が搭載されてユニット化されている。裏パックユニット９４は、保護カバー部を形成する裏パック９２と払出ユニット９３とがユニット化されている。
【００６４】
また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６５】
なお、主制御装置１１０、音声ランプ制御装置１１３及び表示制御装置１１４、払出制御装置１１１、発射制御装置１１２及び電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６６】
図３に示すように、基板ボックス１００，１０１は、裏パック９２により覆われた状態となっている。基板ボックス１０１は、その全体が裏パック９２により覆われており、基板ボックス１００は、裏面視において左側端部と上部とが裏パック９２により覆われている。基板ボックス１００のパチンコ機１０の背面側への固着は、その裏パック９２により覆われた左側端部と上部とによってなされているので、基板ボックス１００の一部が露出した状態であっても、基板ボックス１００の取り外しはできないように構成されている。
【００６７】
また、基板ボックス１００（主制御装置１１０）及び基板ボックス１０２（払出制御装置１１１）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００６８】
また、裏パック９２により覆われた基板ボックス１００は、遊技盤１６の裏面側に取り付けられた状態で、その上部に、他の制御装置やセンサ、ソレノイドなどとの間を電気的に接続するコネクタの接続部が設けられている。この接続部が裏パック９２により覆われているので、裏パック９２を遊技盤１６の裏面側に対して開放しないと、接続部のコネクタを外して基板ボックス１００（主制御装置１１０）を取り外すことができないように構成されている。
【００６９】
また、裏パック９２により覆われた基板ボックス１００は、遊技盤１６の裏面側に取り付けられた状態で、裏面視左側部に、前述したかしめ構造により基板ボックス１００を開封不能に連結する連結部が設けられている。この連結部が裏パック９２により覆われているので、裏パック９２を遊技盤１６の裏面側に対して開放しないと、連結部の連結を解除できないように構成されている。
【００７０】
なお、裏パック９２により覆われた基板ボックス１００は、遊技盤１６の裏面側に取り付けられた状態で、裏面視右側部に識別シール１００ａが貼着されている。この識別シール１００ａは、裏パック９２により覆われておらず、遊技盤１６の裏面に露出している。識別シール１００ａは、固有の情報を有するＩＣチップが埋め込まれており、そのＩＣチップは、図示しない読取装置から電波が送信されると、ＩＣチップが有する固有の情報を読取装置に対して送信するように構成されている。そのため、識別シール１００ａは、遊技盤１６の裏面側に露出して貼着されている。
【００７１】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図９参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００７２】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００７３】
図４に示すように、裏パックユニット９４は、制御ユニット９０（図３参照）を覆う裏パック９２の裏面視（図４矢印Ｂ方向視）において上部および右側部に、略Ｌ字状の外形状となる払出ユニット９３が取り付けられる。裏パック９２の下方には、裏面視における左右方向に延びる裏パック支持棒９２ａが設けられており、裏面視における左下端部には、さらに下方へ突出する裏パック突出部９２ｂが設けられている。また、裏パック９２の裏面視の左上端部には、後述する固定金具７０により係止される裏パック係止部９２ｃが設けられている。
【００７４】
制御ユニット９１は、取付ベース９１ａに取り付けられた状態で、遊技盤１６（図８参照）の裏面側に配設される。そして、取付ベース９１ａの裏面視における上部には、裏パック支持棒９２ａに支持されるベース支持部９１ｂが設けられている。また、取付ベース９１ａは、裏面視における右側端部が図示しないヒンジによって遊技盤１６の裏面側に対して開閉可能に構成されている。よって、取付ベース９１ａに制御ユニット９１が取り付けられた状態で、制御ユニット９１が遊技盤１６の裏面側（パチンコ機１０の背面側）に対して開閉動作する。
【００７５】
また、制御ユニット９１には、裏面視における左上端部に、取付ベース９１ａを遊技盤１６の裏面側に対して閉鎖した状態で、裏パック９２の裏パック突出部９２ｂを覆うユニットカバー部９１ｃが形成されている。よって、図３に示すように、制御ユニット９０，９１及び裏パックユニット９４が遊技盤１６の裏面側に配設された状態では、裏パック９２の裏パック突出部９２ｂが制御ユニット９１のユニットカバー部９１ｃにより覆われた状態となる。
【００７６】
ここで、不正行為者が、正規の基板ボックス１００（又は主制御装置１１０）を不正な基板ボックス（又は主制御装置）に交換する不正行為を行う場合には、不正な基板ボックス（又は主制御装置）に交換したことをホール関係者に知られないために、不正な基板ボックス（又は主制御装置）に交換する作業を早期に終了させる。そのため、不正な基板ボックス（又は主制御装置）に交換する作業が多い又は困難なほど、不正行為者による不正行為を抑制することができる。
【００７７】
本実施形態では、修理や点検などのために基板ボックス１００を取り外す場合には、制御ユニット９１を遊技盤１６の裏面側に対して開放し、その後、裏パック９２を遊技盤１６の裏面側に対して開放した後でないと不可能となる。よって、主制御装置１１０が被包された基板ボックス１００を取り外し作業行程が多くなるので、不正行為者による不正行為の発生を抑制することができる。
【００７８】
次に、図５〜図７を参照して、基板ボックス１００の構造について説明する。図５は、基板ボックス１００の外観を示した斜視図であり、図６は、基板ボックス１００をベース１５０及びカバー１７０に分解した状態の斜視図であり、図７は、基板ボックス１００の開封手順を示した図である。
【００７９】
図５に示すように、基板ボックス１００は、遊技盤１６（図８参照）の裏面側に取り付けられると共に基板ボックス１００の底部を形成するベース１５０と、そのベース１５０を覆って基板ボックス１００の側部および天井部を形成するカバー１７０と、そのカバー１７０とベース１５０とが組み付けられた状態で形成される内部空間内に内包される主制御装置１１０とを有して構成されている。
【００８０】
なお、主制御装置１１０は、後述するＭＰＵ２０１などの複数の電子部品（図示せず）と、その電子部品が搭載される制御基板１１０ａと、外部装置（例えば、払出制御装置１１１や発射制御装置１１２、音声ランプ制御装置１１３、表示制御装置１１４、各種入力機器、各種出力機器など）との間を電気的に接続するコネクタ端子（図示せず）などを有して構成されている。
【００８１】
ここで、図６を参照して、ベース１５０及びカバー１７０について詳細に説明する。図６に示すように、ベース１５０は、略四角形の板状に形成されており、主に、基板ボックス１００の底壁を形成する底板部１５１と、その底板部１５１から立設される側壁１５２と、その側壁１５２の両側に底板部１５１から立設される側壁部１５３，１５３と、その側壁部１５３，１５３の外側に設けられ底板部１５１から立設される複数の突起１５４と、側壁１５２に対向する位置に設けられるベース固着部１５５とを有して構成されている。
【００８２】
なお、側壁部１５２，１５３，１５３は、底板部１５１から立設されるているので、カバー１７０が取り付けられた状態で、ベース１５０とカバー１７０との隙間から細板状の部材などを差し込もうとしても、その側壁部１５２，１５３，１５３により細板状の部材の侵入を阻止することができる。
【００８３】
側板１５２は、底板部１５１から立設される立壁１５２ａと、その立壁１５２ａの先端からベース１５０の内側方向に延設された延設壁１５２ｂとで構成されている。よって、底板部１５１と延設壁１５２ａとの間に、所定の空間が形成される。その所定の空間内に、ベース１５０にカバー１７０が取り付けられた状態で、後述するカバー１７０の端部１７２が嵌り込むので、カバー１７０の反ベース１５０方向またはベース１５０の反カバー１７０方向への強制的な取り外しを抑制することができる。
【００８４】
複数の突起１５４は、底板部１５１から立設される立設部１５４ａと、その立設部１５４ａの先端部からベース固着部１５５方向に延設される延設部１５４ｂとにより略Ｌ字状に形成されている。この突起１５４は、後述するカバー１７０の挿通口１７３ａに挿通され、延設部１５４ｂが閉鎖壁１７３ｃに当接または重なった状態で係止されるので、カバー１７０の反ベース１５０方向またはベース１５０の反カバー１７０方向への強制的な取り外しを抑制することができる。
【００８５】
また、複数の突起１５４は、所定間隔毎に設けられているので、ベース１５０にカバー１７０が取り付けられた状態で、ベース１５０とカバー１７０との隙間から細板状の部材などを差し込もうとした場合、側壁部１５３，１５３だけでなく、その突起１５４によっても細板状の部材の侵入を阻止することができる。
【００８６】
ベース固着部１５５には、側壁部１５３，１５３を結ぶ方向において、その中央に、ネジ溝が形成された２つのネジ溝部１５６ａを有するベース連結部１５６が形成され、そのベース連結部１５６の両側に、ベース封印部１５７が形成されている。ベース封印部１５７には、更に、底板部１５１の外縁から外側（図６の反矢印Ｂ１方向）に向かって突出した複数のベース突出部１５８が設けられており、その複数のベース突出部１５８と底板部１５１との間には、２つの貫通口１５９が形成されている。
【００８７】
なお、ベース突出部１５８は、底板部１５１の外縁から外側に向かって突出しているので、凸状に形成された第１凹凸部に相当し、そのベース突出部１５８の間に形成された部分は凹状に形成されているので、凹状に形成された第１凹凸部に相当する。
【００８８】
貫通口１５９は、ベース突出部１５８の並設方向（側壁部１５３，１５３を結ぶ方向）に二つ並んで形成されており、その並設方向の両端部が、複数のベース突出部１５８の両端より外方に延びる範囲に形成されている。これは、後述するが、ニッパなどの工具によりベース突出部１５８を切断する際に、そのベース突出部１５８全体を切断するためである。
【００８９】
カバー１７０は、主制御装置１１０を収納するために、ベース１５０側に開口が形成された略箱状に形成されており、主に、カバー１７０の側壁および天井壁を構成する蓋部１７１と、カバー１７０をベース１５０に取り付けた状態で、底板部１５１と延設壁１５２ｂとにより形成される空間内に嵌り込む端部１７２と、その端部１７２の両側に設けられベース１５０の複数の突起１５４が挿入される挿入部１７３と、端部１７２に対向する位置に設けられるカバー固着部１７４とを有して構成されている。
【００９０】
蓋部１７１には、主制御装置１１０に設けられたコネクタを露出させるためのコネクタ露出部１７１ａ，１７１ｂが形成されている。各コネクタ露出部１７１ａ，１７１ｂは、コネクタの形状とほぼ同形状の切り欠きが形成されており、そのコネクタと切り欠きの間から針金などの侵入を防止するように構成されている。なお、コネクタ露出部１７１ａにおいては、コネクタおよび切り欠きの図示は省略している。
【００９１】
また、蓋部１７１には、略四隅のそれぞれに、４つの貫通口１７１ｃと、その４つの貫通口１７１ｃに囲まれた中心部からベース１５０側に突出する取付部１７１ｄとが形成されている。この取付部１７１ｄの突出先端に主制御装置１１０の制御基板１１０ａが特殊なネジ１８０により螺着される。
【００９２】
なお、本実施形態では、主制御装置１１０の制御基板１１０ａの取付部１７１ｄへの取り付けは、制御基板１１０ａを取り付けた後に所定値以上のトルクを加える（更に締め付ける方向に回転する）ことで、頭部が折れるネジ（以下「首切りネジ」と称す）１８０を使用している。そのため、制御基板１１０ａをカバー１７０に取り付けると、その後、ネジを緩めて制御基板１１０ａを取り外すことができない構成になっている。
【００９３】
また、貫通口１７１ｃは、取付部１７１ｄの蓋部１７１との連結部分を囲むように形成されているので、その貫通口１７１ｃで囲まれた部分の強度が弱くなっている。そのため、取付部１７１ｄを所定の方向に傾けたり、引っ張ることで、取付部１７１ｄとカバー１７０とを分離することができる。
【００９４】
よって、主制御装置１１０のチェックなどのために制御基板１１０ａをカバー１７０から取り外す場合には、制御基板１１０ａと共に取付部１７１ｄをカバー１７０から取り外すことになる。その結果、カバー１７０の四隅には破損痕が残るので、主制御装置１１０が取り外されたか否かを、ホール関係者などに簡単に認識させることができる。
【００９５】
また、蓋部１７１には、主制御装置１１０が発する熱を放出する目的として、複数の放出孔１７１ｅが設けられていると共に、主制御装置１１０の仕様などを記したシールなどが貼付されるスペース１７１ｆが設けられている。
【００９６】
挿通部１７３は、複数の挿通口１７３ａと、複数の挿通口１７３ａの間に設けられたリブ１７３ｂと、カバー固着部１７４側のリブ１７３ｂから端部１７２側に延びると共に挿通口１７３ａのベース１５０側の開口の一部を閉鎖する閉鎖壁１７３ｃとを有して構成されている。
【００９７】
カバー固着部１７４には、挿通部１７３を結ぶ方向において、その中央に、ネジが挿通される２つの挿通孔１７５ａを有するカバー連結部１７５が形成され、そのカバー連結部１７５の両側に、カバー封印部１７６が形成されている。カバー封印部１７６には、更に、ベース１５０側に向かって突出した複数のカバー突出部１７７が設けられており、その複数のカバー突出部１７７と蓋部１７１との間には、２つの貫通孔１７８が形成されている。
【００９８】
なお、カバー突出部１７７は、蓋部１７１の外縁からベース１５０側に向かって突出しているので、凸状に形成された第２凸凹部に相当し、そのカバー突出部１７７の間に形成された部分は凹状に形成されているので、凹状に形成された第２凸凹部に相当する。
【００９９】
貫通口１７８は、カバー突出部１７７の並設方向（挿通部１７３，１７３を結ぶ方向）に二つ並んで形成されており、その並設方向の両端部が、複数のカバー突出部１７７の両端より外方に延びる範囲に形成されている。これは、後述するが、ニッパなどの工具によりカバー突出部１７７を切断する際に、そのカバー突出部１７７全体を切断するためである。
【０１００】
ここで、カバー１７０のベース１５０への取り付け方法について説明する。まず、カバー１７０の取付部１７１ｄに主制御装置１１０の制御基板１１０ａを首切りネジ１８０によって螺着する。この際、制御基板１１０ａの取付部１７１ｄへの螺着後、所定値以上のトルクで首切りネジ１８０を締め付け、その首切りネジ１８０の頭部を折った状態にする。
【０１０１】
そして、図６に示すように、カバー１７０をベース１５０に対して矢印Ａ１方向に移動して、ベース１５０に設けられた複数の突起１５４を、カバー１７０に設けられた複数の挿通孔１７３ａに挿入し、ベース１５０とカバー１７０とを重ねる。
【０１０２】
次に、ベース１５０とカバー１７０とが重なった状態で、カバー１７０をベース１５０に対して矢印Ｂ１方向にスライドさせると、ベース１５０の底板部１５１と延設壁１５２ｂとの間の空間に、カバー１７０の端部１７２が嵌る。この際、ベース１５０の突起１５４は、延設部１５４ｂの反矢印Ｂ１方向先端がリブ１７３ｂに当接すると共に、矢印Ａ１方向において閉鎖壁１７３ｃと重なった状態になる。更には、ベース１５０のベース突出部１５８と、カバー突出部１７７とが嵌合して、ベース１５０とカバー１７０とが位置決めされる。
【０１０３】
その後、ベース突出部１５８とカバー突出部１７７とが嵌合した状態で、そのベース突出部１５８とカバー突出部１７７とが当接または対向する部分を接着剤で接着して、基板ボックスが完成する。本実施形態では、ベース突出部１５８及びカバー突出部１７７の表面全体に接着剤を塗布または流し込み、互いの突出部１５８，１７７を強固に固着する。なお、ベース突出部１５８とカバー突出部１７７との固着は、熱溶融による溶着で行っても良いし、硬化剤樹脂などを流し込んでも良い。
【０１０４】
また、ベース突出部１５８とカバー突出部１７７との固着は、各突出部１５８，１７７の１の面のみに接着剤を塗布して固着しても良いし、両側の２の面に接着剤を塗布して固着しても良いし、３以上の面（全ての面を含む）に接着剤を塗布して固着するものとしても良い。
【０１０５】
ベース１５０に対してカバー１７０が取り付けられた状態が図５の状態であり、ベース突出部１５８とカバー突出部１７７とが、交互に位置してほぼ隙間無く固着されていることが図示されている。ここで、例えば、ベース封印部１５７とカバー封印部１７６との固着が平面同士であると、そのベース封印部１５７とカバー封印部１７６との固着面をカッターなどにより削り、ベース封印部１５７とカバー封印部１７６とを痕跡を残すことなく離脱させることが容易になってしまう。しかし、図５に示すように、ベース突出部１５８の間にカバー突出部１７７が嵌合し交互に位置した状態で接着されるので、カッターなどの工具によりベース突出部１５８とカバー突出部１７７とを痕跡無く離脱させることを困難にすることができる。
【０１０６】
また、ベース突出部１５８とカバー突出部１７７とは、複数の突出した形状になっているので、ベース突出部１５８とカバー突出部１７７とが平面同士である場合に比べて、ベース突出部１５８とカバー突出部１７７とが互いに当接する当接面積が大きくなる。その結果、接着剤が流れ込み接着される面積が大きくなるので、ベース突出部１５８とカバー突出部１７７とを強固に固着することができる。
【０１０７】
さらに、ベース突出部１５８及びカバー突出部１７７とは、略直方体の突起なので、ベース突出部１５８とカバー突出部１７７との固着部分は直角となる角を有する。この場合、カッターなどによりベース突出部１５８とカバー突出部１７７との固着部分を削り取ろうとしても、直角部分においてカッターの刃先の向きが変えられないので、ベース突出部１５８とカバー突出部１７７との固着部分を痕跡なく削りこることを困難にすることができる。
【０１０８】
また、ベース突出部１５８及びカバー突出部１７７は、略等間隔の間隔で形成されており、その並設方向の幅も略同等に形成されているので、基板ボックス１００の外形においてベース封印部１５７及びカバー封印部１７６を形成する範囲が大規模化することを抑制しつつ、カバー突出部１５８とベース突出部１７７とが当接または対向する部分の面積を大きくすることができる。よって、基板ボックス１００の大規模化を抑制しつつ、カバー突出部１５８とベース突出部１７７との固着を強固にすることができる。また、カバー突出部１５８とベース突出部１７７とが当接または対向する部分の面積を大きく確保しつつ、並設方向において極端に薄くなる部分がなくなるので、ベース１５０及びカバー１７０の樹脂成形の為に制作される金型の制作性を向上することもできる。
【０１０９】
また、ベース１５０の底板部１５１と延設壁１５２ｂとの間の空間とカバー１７０の端部１７２、ベース１５０の突起１５４と挿通部１７３、及び、ベース突出部１５８とカバー突出部１７７の３カ所によって、ベース１５０に対するカバー１７０の位置が決められるので、ベース１５０に対するカバー１７０の位置決め作業を省くことができ、基板ボックス１００の制作の作業性を向上することができる。
【０１１０】
次に、図７を参照して、基板ボックス１００の開封手順について説明する。なお、図７では、ベース封印部１５７とカバー封印部１７６との固着部分の一方のみを図示しているが、他方についても同様の開封手順で行われる。
【０１１１】
図７（ａ）に示すように、基板ボックス１００を開封する場合には、ベース突出部１５８とカバー突出部１７７との固着部分を、ニッパなどの工具によりｃ１〜ｃ３の３カ所を切断する。ｃ１とｃ２は、ベース突出部１５８とカバー突出部１７７との固着部分の両側に位置する部分であり、ｃ３は、２つの貫通口１５９，１５９間および２つの貫通口１７８，１７８間を連結する部分である。
【０１１２】
図７（ｂ）に示した状態が、ｃ１〜ｃ３の３カ所をニッパなどの工具により切断した状態であり、ベース突出部１５８とカバー突出部１７７とからなる切断物Ｘのみが基板ボックス１００から切断されていることが解る。
【０１１３】
その後、図７（ｃ）に示すように、カバー１７０をベース１５０に対して矢印Ａ２方向（図６の反Ａ１方向）にスライドして、上述した底板部１５１と延設壁１５２ｂとの間の空間とカバー１７０の端部１７２との当接を解除すると共に、突起１５４の延設部１５４ｂと挿通部１７３の閉鎖壁１７３ｃとの当接（重なり）を解除する。その後、カバー１７０をベース１５０に対して矢印Ｂ２方向（図６の反Ｂ１方向）に移動させることで、図７（ｄ）に示すように、基板ボックス１００の開封を行うことができる。
【０１１４】
ここで、両貫通口１５９，１７８を設けない場合には、ベース突出部１５８とカバー突出部１７７との固着部分を、ニッパなどの工具によりコ字状に切断しなければならないので、その切断作業が困難になる。しかし、本実施形態では、貫通口１５９，１７８を設けているので、ニッパなどの工具の先端を入れて切断物Ｘを簡単に切断することができ、基板ボックス１００の開封時の作業性を向上することができる。
【０１１５】
なお、図示していないが、主制御装置１１０の制御基板１１０ａは、その制御基板１１０ａをカバー１７０の蓋部１７１から離反する方向に引っ張ることで薄肉部１７１ｃが破壊され、取付部１７１ｄと共にカバー１７０から取り外すことができる。
【０１１６】
次に、図８を参照して、パチンコ機１０の遊技盤１６について説明する。図８は、パチンコ機１０の遊技盤１６の正面図である。
【０１１７】
図８に示すように、遊技盤１６は、正面視略正方形状に切削加工した木製のベース板６０に、球案内用の多数の釘や風車およびレール６１，６２、一般入賞口６３、第１入球口６４、可変入賞装置６５、可変表示装置ユニット８０等を組み付けて構成され、その周縁部が前述した内枠１２の裏面側に取り付けられる。一般入賞口６３、第１入球口６４、可変入賞装置６５、可変表示装置ユニット８０は、ルータ加工によってベース板６０に形成された貫通穴に配設され、遊技盤１６の前面側から木ネジ等により固定されている。また、遊技盤１６の前面中央部分は、前面枠１４の窓部１４ｃ（図１参照）を通じて内枠１２の前面側から視認することができる。以下に、遊技盤１６の構成について説明する。
【０１１８】
遊技盤１６の前面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１６の前面外周が囲まれ、遊技盤１６とガラスユニット１７（図１参照）とにより前後が囲まれることにより、遊技盤１６の前面には、球の挙動により遊技が行われる遊技領域が形成される。遊技領域は、遊技盤１６の前面であって２本のレール６１，６２と可変表示ユニット８０とにより区画して形成される領域である。
【０１１９】
２本のレール６１，６２は、球発射ユニット１１２ａ（図９参照）から発射された球を遊技盤１６上部へ案内するために設けられたものである。内レール６１の先端部分（図８の左上部）には戻り球防止部材６８が取り付けられ、一旦、遊技盤１６の上部へ案内された球が再度球案内通路内に戻ってしまうといった事態が防止される。
【０１２０】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入球口６４への入賞をトリガとして第３図柄を変動表示する液晶ディスプレイ（以下単に「ＬＣＤ」と略す。）で構成された第３図柄表示装置８１と、第２入球口６７の球の通過をトリガとして第２図柄を変動表示する発光ダイオード（ＬＥＤ）で構成される第２図柄表示装置８２とが設けられている。
【０１２１】
第３図柄表示装置８１は、後述する表示制御装置１１４（図９参照）によって表示内容が制御され、例えば上、中及び下の３つの図柄列が表示される。各図柄列は複数の図柄によって構成され、これらの図柄が図柄列毎に横スクロールして第３図柄表示装置８１の表示画面上にて第３図柄が可変表示されるようになっている。また、可変表示装置ユニット８０には、この第３図柄表示装置８１の外周を囲むようにして、センターフレーム８６が配設されている。本実施形態の第３図柄表示装置８１は、主制御装置１１０（図９参照）の制御に伴った遊技状態の表示が第１図柄表示装置３７（図９参照）で行われるのに対して、その第１図柄表示装置３７の表示に応じた装飾的な表示を行うものである。なお、ＬＣＤに代えて、例えば、リール等を用いて第３図柄表示装置８１を構成するようにしても良い。
【０１２２】
また、第１図柄表示装置３７にて停止図柄（確変大当たり図柄、普通大当たり図柄、外れ図柄のいずれか１つ）が表示されるまでの間に球が第１入球口６４へ入球した場合、その入球回数は最大４回まで保留され、その保留回数は第１図柄表示装置３７により示されると共に保留ランプ８５の点灯個数においても示される。保留ランプ８５は、最大保留数分の４つ設けられ、第３図柄表示装置８１の下方に配設されている。なお、本実施形態においては、第１入球口６４への入賞は、最大４回まで保留されるように構成したが、最大保留回数は４回に限定されるものでなく、３回以下、又は、５回以上の回数（例えば、８回）に設定しても良い。また、保留ランプ８５を削除し、第１入球口６４への入賞に基づく変動表示の保留回数を第３図柄表示装置８１の一部に数字で、或いは、４つに区画された領域を保留回数分だけ異なる態様（例えば、色や点灯パターン）にして表示するようにしても良い。また、第１図柄表示装置３７により保留回数が示されるので、保留ランプ８５により点灯表示を行わないものとしても良い。
【０１２３】
第２図柄表示装置８２は、第２図柄の表示部８３と保留ランプ８４とを有し、球が第２入球口６７を通過する毎に、表示部８３において表示図柄（第２図柄）としての「○」の図柄と「×」の図柄とが交互に点灯して変動表示が行われ、その変動表示が所定図柄（本実施形態においては「○」の図柄）で停止した場合に第１入球口６４が所定時間だけ作動状態となる（開放される）よう構成されている。球の第２入球口６７の通過回数は最大４回まで保留され、その保留回数が上述した第１図柄表示装置３７により表示されると共に保留ランプ８４においても点灯表示される。なお、第２図柄の変動表示は、本実施形態のように、表示部８３において複数のランプの点灯と非点灯を切り換えることにより行うものの他、第１図柄表示装置３７及び第３図柄表示装置８１の一部を使用して行うようにしても良い。同様に、保留ランプ８４の点灯を第３図柄表示装置８１の一部で行うようにしても良い。また、第２入球口６７の通過は、第１入球口６４と同様に、最大保留回数は４回に限定されるものでなく、３回以下、又は、５回以上の回数（例えば、８回）に設定しても良い。また、第１図柄表示装置３７により保留回数が示されるので、保留ランプ８４により点灯表示を行わないものとしても良い。
【０１２４】
また、センターフレーム８６には、その上部分に針が回転動作する第１役物８７ａ（コンパス）と、右部分に左右方向に揺動する第２役物８７ｂ（船）と、その第２役物８７ｂに取り付けられ伸縮動作する第３役物８７ｃ（大砲）とが配設されている。これら第１〜第３役物８７ａ〜８７ｃは、後述する主制御装置１１０によって遊技状態に応じて稼働される。
【０１２５】
可変表示装置ユニット８０の下方には、球が入球し得る第１入球口６４が配設されている。この第１入球口６４へ球が入球すると遊技盤１６の裏面側に設けられる第１入球口スイッチ（図示せず）がオンとなり、その第１入球口スイッチのオンに起因して主制御装置１１０で大当たりの抽選がなされ、その抽選結果に応じた表示が第１図柄表示装置３７のＬＥＤ３７ａで示される。また、第１入球口６４は、球が入球すると５個の球が賞球として払い出される入賞口の１つにもなっている。
【０１２６】
第１入球口６４の下方には可変入賞装置６５が配設されており、その略中央部分に横長矩形状の特定入賞口（大開放口）６５ａが設けられている。パチンコ機１０においては、主制御装置１１０での抽選が大当たりとなると、所定時間（変動時間）が経過した後に、大当たりの停止図柄となるよう第１図柄表示装置３７のＬＥＤ３７ａを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【０１２７】
この特定入賞口６５ａは、所定時間が経過すると閉鎖され、その閉鎖後、再度、その特定入賞口６５ａが所定時間開放される。この特定入賞口６５ａの開閉動作は、最高で例えば１６回（１６ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【０１２８】
可変入賞装置６５は、具体的には、特定入賞口６５ａを覆う横長矩形状の開閉板と、その開閉板の下辺を軸として前方側に開閉駆動するための大開放口ソレノイド（ソレノイド２０９（図４参照）の一部）とを備えている。特定入賞口６５ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【０１２９】
なお、上記した形態に特別遊技状態は限定されるものではない。特定入賞口６５ａとは別に開閉される大開放口を遊技領域に設け、第１図柄表示装置３７において大当たりに対応したＬＥＤ３７ａが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。
【０１３０】
遊技盤１６の下側における右の隅部には、証紙や識別ラベル等を貼着するための貼着スペースＫ１が設けられ、貼着スペースＫ１に貼られた証紙等は、前面枠１４の小窓３５を通じて視認することができる。
【０１３１】
さらに、遊技盤１６には、アウト口６６と第２入球口（スルーゲート）６７とが設けられている。いずれの入賞口６３，６４，６５ａにも入球しなかった球はアウト口６６を通って図示しない球排出路へと案内される。遊技盤１６には、球の落下方向を適宜分散、調整等するために多数の釘が植設されているとともに、風車等の各種部材（役物）が配設されている。
【０１３２】
次に、図９を参照して、本パチンコ機１０の電気的構成について説明する。図９は、パチンコ機１０の電気的構成を示すブロック図である。
【０１３３】
主制御装置１１０には、演算装置である１チップマイコンとしてのＭＰＵ２０１が搭載されている。ＭＰＵ２０１には、該ＭＰＵ２０１により実行される各種の制御プログラム（例えば、遊技者に対して多くの賞球を付与する大当たりの抽選処理など）や固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【０１３４】
ＲＡＭ２０３は、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを備えている。ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【０１３５】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行され、電源断の発生情報がＲＡＭ２０３に記憶される。
【０１３６】
主制御装置１１０のＭＰＵ２０１には、アドレスバス及びデータバスで構成されるバスライン２０４を介して入出力ポート２０５が接続されている。入出力ポート２０５には、主制御装置１１０へ電源を供給する電源装置１１５を始め、払出制御装置１１１、音声ランプ制御装置１１３、第１図柄表示装置３７、第２図柄表示装置８２や、図示しないスイッチ群やセンサ群などからなる各種スイッチ２０８や、特定入賞口６５ａの開閉板の下辺を軸として前方側に開閉駆動するための大開放口ソレノイドや電動役物を駆動するためのソレノイドなどからなるソレノイド２０９が接続されている。
【０１３７】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを備えている。
【０１３８】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを備えている。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行され、電源断の発生情報がＲＡＭ２１３に記憶される。
【０１３９】
払出制御装置１１１のＭＰＵ２１１には、アドレスバス及びデータバスで構成されるバスライン２１４を介して入出力ポート２１５が接続されている。入出力ポート２１５には、払出制御装置１１１へ電源を供給する電源装置１１５を始め、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【０１４０】
発射制御装置１１２は、主制御装置１１０により球の発射の指示がなされた場合に、操作ハンドル５１の回転操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサにより検出し、発射を停止させるための発射停止スイッチが操作されていないことを条件に、操作ハンドル５１の回動量に対応して発射ソレノイドが励磁され、操作ハンドル５１の操作量に応じた強さで球が発射される。
【０１４１】
音声ランプ制御装置１１３は、音声出力装置（図示しないスピーカなど）２２６における音声の出力、電飾部２９〜３１や表示ランプ３２などのランプ表示装置２２７における点灯および消灯の出力、表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを備えている。
【０１４２】
音声ランプ制御装置１１３のＭＰＵ２２１には、アドレスバス及びデータバスで構成されるバスライン２２４を介して入出力ポート２２５が接続されている。入出力ポート２２５には、音声ランプ制御装置１１３へ電源を供給する電源装置１１５を始め、主制御装置１１０、表示制御装置１１４、音声出力装置２２６やランプ表示装置２２７などがそれぞれ接続されている。
【０１４３】
表示制御装置１１４は、第３図柄表示装置（ＬＣＤ）８１における第３図柄の変動表示を制御するものである。表示制御装置１１４は、ＭＰＵ２３１と、ＲＯＭ（プログラムＲＯＭ）２３２と、ワークＲＡＭ２３３と、ビデオＲＡＭ２３４と、キャラクタＲＯＭ２３５と、画像コントローラ２３６と、入力ポート２３７と、出力ポート２３８と、バスライン２３９，２４０とを備えている。
【０１４４】
入力ポート２３７の入力側には、表示制御装置１１４へ電源を供給する電源装置１１５、及び、音声ランプ制御装置１１３の出力側が接続され、入力ポート２３７の出力側には、ＭＰＵ２３１、ＲＯＭ２３２、ワークＲＡＭ２３３、画像コントローラ２３６が接続されている。
【０１４５】
画像コントローラ２３６には、ビデオＲＡＭ２３４、キャラクタＲＯＭ２３５が接続されると共に、バスライン２４０を介して出力ポート２３８が接続されている。出力ポート２３８の出力側には、第３図柄表示装置８１が接続されている。
【０１４６】
表示制御装置１１４のＭＰＵ２３１は、音声ランプ制御装置１１３から入力された図柄表示用のコマンドに基づいて、第３図柄表示装置８１の表示内容を制御する。ＲＯＭ２３２には、ＭＰＵ２３１により実行される各種の制御プログラムや固定値データが記憶されている。
【０１４７】
また、ワークＲＡＭ２３３は、図示されないフラグとして、演出許可がされているか否かを示す演出許可フラグや、変動表示を開始すべきか否かを示す変動開始フラグを有している。なお、演出許可フラグ（図示せず）は、主制御装置１１０の初期設定の処理後に送信される演出許可コマンドを音声ランプ制御装置１１３を介して受信するとオンされ、電源断の発生によりオフされる。また、変動開始フラグ（図示せず）は、主制御装置１１０から出力された変動パターンコマンドに対応するコマンドを音声ランプ制御装置１１３から受信した場合にオンされ、第３図柄表示装置８１において変動表示が開始されるとオフされる。
【０１４８】
キャラクタＲＯＭ２３５は、第３図柄表示装置８１に表示される図柄（背景図柄や装飾図柄）などのキャラクタ情報が記憶されたキャラクタ情報メモリを備えている。このキャラクタ情報メモリに記憶されているキャラクタ情報としては、変動表示される第３図柄の数字データ（例えば、０〜９）や、数字データ以外の図柄データ（例えば、魚やエビの図柄、背景図柄、予告キャラクタ図柄やキャラクタ図柄（例えば、女の子や男の子）などが記憶されている。
【０１４９】
このキャラクタ情報メモリは、記憶するデータ量を少なくするために、上記のようなキャラクタ情報を圧縮形式のデータで記憶している。なお、本実施形態では、キャラクタ情報は約１０２４Ｍバイトで構成されており、その約１０２４Ｍバイトのキャラクタ情報が、約７６８Ｍバイトに圧縮されてキャラクタ情報メモリに記憶されている。キャラクタ情報メモリに圧縮形式のデータとして記憶されているキャラクタ情報は、読み出されると、解凍された後に、ビデオＲＡＭ２３４のキャラクタ情報記憶領域に書き込まれる。
【０１５０】
ビデオＲＡＭ２３４は、第３図柄表示装置８１に表示される表示内容（変動表示の演出パターンや、リーチ演出時の演出内容など）に対応する演出データが記憶される表示用記憶領域と、キャラクタＲＯＭ２３５のキャラクタ情報メモリに記憶された圧縮形式のキャラクタ情報を解凍したデータが記憶されるキャラクタ情報記憶領域とを備えている。
【０１５１】
表示用記憶領域は、第３図柄表示装置８１に表示される演出データを記憶するためのメモリであり、その表示用記憶領域の内容を書き替えることにより、第３図柄表示装置８１の表示内容が変更される。キャラクタ情報記憶領域には、背景図柄や装飾図柄などの素材となるキャラクタデータが記憶され、このキャラクタ情報記憶領域から第３図柄表示装置８１に表示するための必要なデータが読み出されて表示用記憶領域に書き込まれる。
【０１５２】
なお、キャラクタ情報をビデオＲＡＭ２３４のキャラクタ情報記憶領域に記憶させるのは、一般的に処理速度がＲＯＭよりＲＡＭの方が高速であるためであり、キャラクタ情報をキャラクタＲＯＭ２３５から直接、表示用記憶領域に直接書き込む場合、読み出すデータ量が大きいと読み出しに時間を有しスムーズな表示ができなかったり鮮明な表示ができないからである。更に、ＲＡＭにおいて表示データの加工（例えば、装飾図柄の大きさの変更や背景図柄の色の変更）などが容易であるためである。
【０１５３】
画像コントローラ２３６は、ＭＰＵ２３１、ビデオＲＡＭ２３４、出力ポート２３８のそれぞれのタイミングを調整してデータの読み書きに介在すると共に、ビデオＲＡＭ２３４に記憶される表示データを所定のタイミングで読み出して第３図柄表示装置８１に表示させるものである。
【０１５４】
電源装置１１５は、パチンコ機１０の各部に電源を供給するための電源部２５１と、停電等による電源遮断を監視する停電監視回路２５２と、ＲＡＭ消去スイッチ１２２（図３参照）とを有するＲＡＭ消去スイッチ回路２５３とを備えている。
【０１５５】
電源部２５１は、入出力ポート２０５，２１５，２２５，２３７に接続された電源経路を通じて、制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を制御装置１１０〜１１４等に対して必要な電圧を供給する。
【０１５６】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理（図示せず）を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し、電源断の発生情報がＲＡＭ２０３及びＲＡＭ２１３に記憶して完了することができる。
【０１５７】
ＲＡＭ消去スイッチ回路２５３は、ＲＡＭ消去スイッチ１２２が押下された場合に、主制御装置１１０へ、バックアップデータをクリアさせるためのＲＡＭ消去信号ＳＧ２を出力するための回路である。主制御装置１１０及び払出制御装置１１１は、パチンコ機１０の電源投入時に、ＲＡＭ消去信号ＳＧ２を入力した場合に、それぞれのバックアップデータをクリアすると共に、払出制御装置１１１においてバックアップデータをクリアさせるための払出初期化コマンドを払出制御装置１１１に対して送信する。
【０１５８】
以上説明したように、本実施形態の基板ボックス１００は、ベース突出部１５８が底板部１５１の外縁から外方に突出して形成され、カバー突出部１７７が蓋部１７１の外縁からベース１５０側に突出して形成されており、そのベース突出部１５８とカバー突出部１７７とが嵌合した状態で接着材により接着される。また、ベース突出部１５８とカバー突出部１７７とが嵌合して固着された状態では、そのベース突出部１５８とカバー突出部１７７とをカッターなどの工具により痕跡を残さず離脱することが困難になる。
【０１５９】
例えば、ベース封印部１５７とカバー封印部１７６とが平面同士で固着されていたり、従来のように、ベース封印部とカバー封印部とを封印ネジで螺着する構成では、遊技盤１６の裏面に取り付けられた状態でその遊技盤１６側に位置する一方の封印部のみを破壊可能となるので、その封印部の破壊を外部から簡単に確認することが困難になるという弊害が生じる。しかし、本実施形態によれば、ベース突出部１５８とカバー突出部１７７とをカッターなどにより痕跡を残さず離脱させることが困難になるので、基板ボックス１００を不正に開封した痕跡が確実に残る。よって、ホール関係者などは、ベース封印部１５７及びカバー封印部１７６の破壊状況を確認することで、基板ボックス１００が開封されたことを簡単に発見することができ、大当たりなどの抽選を行う主制御装置１１０に対して不正な行為が行われた可能性があることを発見することができる。また、基板ボックス１００が開封されたことを簡単に発見することができる構成なので、基板ボックス１００に対して行われる不正な行為の発生自体を抑制することもできる。
【０１６０】
また、例えば、１の基板ボックスのベースを破壊すると共に他の基板ボックスのカバーを破壊し、主制御装置１１０のＲＯＭを不正なものに交換したり、主制御装置１１０に不正な基板を取り付けた後、破壊されていない方のベースとカバーとを組み付けて基板ボックスを制作すると、基板ボックスの破壊状況を確認し辛いので、不正行為の発見が困難になる。しかし、本実施形態では、主制御装置１１０の制御基板１１０ａをカバー１７０から取り外すと、取付部１７１ｄもカバー１７０から破損されて取り外されるので、例え、２の基板ボックス１００から１の基板ボックスを破壊の痕跡を残さずに制作しようとしても、その制作を不可能にすることができる。
【０１６１】
また、本実施形態によれば、ベース封印部１５７とカバー封印部１７６とは別に、ベース連結部１５６とカバー連結部１７５とを設けているので、主制御装置１１０のチェックなどのために、開封後の基板ボックス１００を輸送する場合であっても、両連結部１５６，１７５をネジなどにより螺着することで、輸送中にベース１５０、カバー１７０及び主制御装置１１０とがバラバラになることを防止することができる。なお、両連結部１５６，１７５を螺着するネジにワンウェイネジや首切りネジを使用すれば、輸送途中に不正な行為が行われることも防止することができる。
【０１６２】
次に、図１０を参照して、ベース封印部１５７及びカバー封印部１７６の変形例について説明する。図１０は、ベース封印部１５７及びカバー封印部１７６の変形例を示した図である。図１０（ａ）は、第１変形例のベース封印部１５７及びカバー封印部１７６を示した図であり、図１０（ｄ）は、第２変形例のベース封印部１５７及びカバー封印部１７６を示した図である。
【０１６３】
図１０（ａ−１）に示すように、ベース１５０のベース封印部１５７には、第１実施形態のベース突出部１５８に代えて、半円の溝状のベース溝部１９０が形成され、カバー１７０のカバー封印部１７６には、第１実施形態のカバー突出部１７７に代えて、半円状に突起したカバー突出部１９１が形成されている。
【０１６４】
図１０（ａ−２）に示すように、ベース１５０にカバー１７０を取り付けたでは、ベース溝部１９０とカバー突出部１９１との固着面は、波状となっているので、カッターなどの工具によってベース溝部１９０とカバー突出部１９１とを痕跡を残さず離脱することが困難となる。
【０１６５】
図１０（ｂ−１）に示すように、ベース１５０のベース封印部１５７には、第１実施形態のベース突出部１５８に代えて、山型の溝状のベース溝部１９２が形成され、カバー１７０のカバー封印部１７６には、第１実施形態のカバー突出部１７７に代えて、山型に突起したカバー突出部１９３が形成されている。
【０１６６】
図１０（ｂ−２）に示すように、ベース１５０にカバー１７０を取り付けたでは、ベース溝部１９２とカバー突出部１９３との固着面は、刃形となっているので、カッターなどの工具によってベース溝部１９２とカバー突出部１９３とを痕跡を残さず離脱することが困難となる。
【０１６７】
以上説明したように、第１及び第２変形例では、ベース溝部１９０，１９２とカバー突出部１９１，１９３とを痕跡を残さず離脱することが困難にすることができるので、ベース溝部１９０，１９２及びカバー突出部１９１，１９３の状態をホール関係者が確認することで、基板ボックス１００が不正に開封されたことを簡単に発見することができる。従って、大当たりなどの抽選を行う主制御装置１１０に対して不正な行為が行われた可能性があることをホール関係者などに簡単に認識させることができる。また、基板ボックス１００が開封されたことを簡単に発見することができる構成なので、基板ボックス１００に対して行われる不正な行為の発生自体を抑制することもできる。
【０１６８】
なお、第１及び第２変形例では、ベース溝部１９０，１９２とカバー突出部１９１，１９３との固着面を、波形または刃形としたが、ベース溝部１９０，１９２とカバー突出部１９１，１９３との固着面が平面同士でなければ、その形状は、如何なる形状であっても良い。例えば、ベース封印部１５７の一部が凹状または凸状に形成され、カバー封印部１７６の一部が凸状または凹状に形成されていれば、少なくともベース側とカバー側との固着面は平面同士とはならない。なお、凸状の先端は直角に近い角度を有していることが好ましい。これは、凸状に形成された凸部と凹状に形成された凹部との固着面にカッターなどの刃先が入れられたとしても、そのカッターの刃先の向きが変えられないので、ベース封印部１５７とカバー封印部１７６とを痕跡無く離脱できないからである。
【０１６９】
以上、一実施形態に基づき本発明を説明したが、本発明は上記形態に何ら限定されるものではなく、本発明の趣旨を逸脱しない範囲内で種々の変形改良が可能であることは容易に推察できるものである。
【０１７０】
例えば、上記実施形態では、ベース突出部１５８及びベース溝部１９０，１９２と、カバー突出部１７７，１９１，１９３とを接着剤で接着し、基板ボックス１００を開封不可能に構成したが、ベース１５０にカバー１７０を取り付けた状態で、挿通口１７３ａ内に接着剤や硬化剤樹脂などを流し込んで、挿通口１７３ａ，リブ１７３ｂ，閉鎖板１７３ｃと突起１５４とを固着して、基板ボックス１００を開封不可能に構成するものとしても良い。
【０１７１】
また、ベース突出部１５８及びベース溝部１９０，１９２とカバー突出部１７７，１９１，１９３との固着と、挿通口１７３ａ，リブ１７３ｂ，閉鎖板１７３ｃと突起１５４との固着とを併用しても良い。
【０１７２】
さらに、ベース１５０とカバー１７０とを固着する部分の固着面が平面同士でなければ良いので、突起１５４に延設部１５４ｂを設けずに立壁部１５４ａのみの突起とし、挿通部１７３に閉鎖板１７３を設けない構成とし、立壁部１５４ａと挿通口１７３ａとを固着としても良い。
【０１７３】
また、上記実施形態では、ベース１５０の底板部１５１の外縁から外方に突出するベース突出部１５８を設け、カバー１７０の蓋部１７１の外縁からベース１５０側に突出するカバー突出部１７７を設ける構成としたが、ベース１５０の底板部１５１の外縁からカバー１７０側に突出するカバー突出部を設け、カバー１７０の蓋部１７１の外縁から外側に突出するカバー突出部を設ける構成としても良い。同様に、ベース側に、挿通部１７３に対応する挿通部を設け、カバー側に、突起１５４に対応する突起を設ける構成としても良い。
【０１７４】
また、上記実施形態では、カバー１７０への主制御装置１１０の制御基板１１０ａの取り付けは、首切りネジで螺着するものとしたが、一方向のみしか締め付けを行えないワンウェイネジを使用しても良い。なお、一旦取り付けた後に取り外しが不能となる構造であれば、如何なるネジを使用しても良いし、ネジ以外にピンなどを使用しても良い。また、カバー１７０への主制御装置１１０の制御基板１１０ａの取り付けは、取付部１７１ｄを介さずに、貫通口１７１ｃで囲まれた部分に直接行うものとしても良い。
【０１７５】
また、上記実施形態では、カバー１７０の蓋部１７１に貫通口１７１ｃを形成し、その貫通口１７１ｃに囲まれた中央部に取付部１７１ｄを連結する構成としたが、貫通口１７１ｃの代わりに、蓋部１７１の肉厚より薄い薄肉状に形成された薄肉部を形成し、その薄肉部の中央部に取付部１７１ｄを連結する構成としても良い。なお、当然に、貫通口１７１ｃの組み合わせは、Ｌ字状の貫通口の組み合わせだけでなく、円状の貫通口の組み合わせや、半円状の貫通口の組み合わせなど如何なる形状であっても良い。なお、貫通口１７１ｃの大きさは、不正行為の観点から小さい方が好ましく、直径２ｍｍ以下にすることが好ましい。
【０１７６】
また、上記実施形態では、主制御装置１１０が内包された基板ボックス１００に、ベース封印部１５７及びカバー封印部１７６を設ける構成としたが、音声ランプ制御装置１１３及び表示制御装置１１４が内包された基板ボックス１０１や、払出制御装置１１１が内包された基板ボックス１０２、発射制御装置１１２及び電源装置１１５が内包された基板ボックス１０３、カードユニット接続基板１１６が搭載された基板ボックス１０４に適用しても良い。
【０１７７】
本発明を上記実施形態とは異なるタイプのパチンコ機等に実施しても良い。例えば、一度大当たりすると、それを含めて複数回（例えば２回、３回）大当たり状態が発生するまで、大当たり期待値が高められるようなパチンコ機（通称、２回権利物、３回権利物と称される）として実施しても良い。また、大当たり図柄が表示された後に、所定の領域に球を入賞させることを必要条件として遊技者に所定の遊技価値を付与する特別遊技を発生させるパチンコ機として実施しても良い。また、Ｖゾーン等の特別領域を有する入賞装置を有し、その特別領域に球を入賞させることを必要条件として特別遊技状態となるパチンコ機に実施しても良い。更に、パチンコ機以外にも、アレパチ、雀球、スロットマシン、いわゆるパチンコ機とスロットマシンとが融合した遊技機などの各種遊技機として実施するようにしても良い。
【０１７８】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０１７９】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。
【０１８０】
以下に、本発明の遊技機および変形例を示す。
【０１８１】
ベース部材およびカバー部材を有し、そのベース部材とカバー部材とを組み付けた状態で形成される内部空間内に、電子部品が搭載された回路基板を内包する基板ボックスを備えた遊技機において、前記ベース部材またはカバー部材の一方の外縁に設けられ、少なくとも一部が凹状または凸状に形成される第１封印部と、前記ベース部材またはカバー部材の他方の外縁に設けられ、前記ベース部材とカバー部材とを組み付けた状態で前記第１封印部に当接すると共に、少なくとも一部が凸状または凹状に形成された第２封印部と、その第２封印部と第１封印部とが当接または対向する部分を、互いに離脱不可能に固着する固着手段とを備えていることを特徴とする遊技機１。
【０１８２】
遊技機１によれば、基板ボックスは、ベース部材とカバー部材とを有し、そのベース部材とカバー部材とを組み付けた状態で形成される内部空間内に、電子部品が搭載された回路基板が内包される。また、ベース部材またはカバー部材の一方の外縁には、少なくとも一部が凹状または凸状に形成される第１封印部が設けられ、ベース部材またはカバー部材の他方の外縁には、ベース部材とカバー部材とを組み付けた状態で第１封印部に当接または対向すると共に少なくとも一部が凸状または凹状に形成された第２封印部が設けられている。そして、ベース部材とカバー部材とを組み付けた状態で、第１封印部と第２封印部とが当接または対向する部分が、固着手段により互いに離脱不可能に固着される。
【０１８３】
よって、第１封印部は、少なくとも一部が凹状または凸状に形成され、第２封印部は、少なくとも一部が凸状または凹状に形成され、その第１封印部と第２封印部とが当接または対向する部分を固着手段により離脱不可能に固着するので、第１封印部と第２封印部とは少なくとも一部が非平面同士で固着される。ここで、第１封印部と第２封印部とが平面同士で固着されていると、カッターなどの工具により第１封印部と第２封印部との当接または対向する面を削り、痕跡を残さずに第１封印部と第２封印部とを離脱可能であるが、第１封印部と第２封印部とは、非平面同士で固着されているので、第１封印部と第２封印部とを痕跡を残さずに離脱することが困難になる。その結果、基板ボックスを正規に開封する場合には、第１封印部と第２封印部とが一緒に切断され、基板ボックスを不正に開封しようとした場合には、その開封の痕跡が残るので、ホール関係者などが第１封印部と第２封印部との状態を確認することで、基板ボックスが開封されたことを簡単に確認することができる。また、基板ボックスが開封されたことを簡単に確認することができる構成なので、基板ボックスに対して行われる不正行為の発生自体を抑制することもできる。
【０１８４】
また、例えば、第１封印部または第２封印部の凸状を直方体に近い形状にした場合には、カッターなどの工具により第１封印部と第２封印部との当接または対向する部分の固着を解除しようとしても、面と面とが接する直角部分においてカッターの刃先の向きが変えられないので、第１封印部と第２封印部との当接または対向する部分を痕跡無く解除することをより困難にすることができる。
【０１８５】
なお、遊技機１において、固着手段による第１封印部と第２封印部との固着は、その第１封印部と第２封印部との表面同士が固着されることを意味しており、他の部材（例えばネジなど）により第１封印部と第２封印部とを連結することを意味するものではない。また、固着手段による第１封印部と第２封印部との固着としては、溶融による溶着や、接着剤による接着、硬化剤樹脂などを流し込む固着などが例示される。
【０１８６】
また、凸状に形成される第１及び第２封印部は、略直方体の凸状であっても良いし、略半球状の凸状であっても良いし、略三角錐または三角柱の凸状であっても良く、その形状は如何なる形状であっても良い。また、凹状に形成される第１及び第２封印部は、略直方体、略半球状、略三角錐または略三角錐の凸部に対応した凹状に形成するものとしても良いし、前記凸部の外形を覆う形状としても良い。
【０１８７】
また、第１封印部と第２封印部との当接または対向する部分の固着は、凸状の先端に対応する部分のみを固着しても良いし、凸状の先端を挟む両側に対応する部分のみを固着しても良いし、凸状の先端とその先端を挟む両側とに対応する部分を固着しても良いし、凸状の先端とその凸状の先端を挟む両側と少なくとも他の部分とに対応する部分を固着しても良いし、凸状の全表面に対応する部分を固着しても良い。
【０１８８】
また、基板ボックスは、回路基板の一の面を覆うカバー部材と、回路基板の他の面を覆うベース部材とを組み合わせて構成するものとしても良いし、回路基板の全体を覆うカバー部材と、そのカバー部材の開口を閉鎖する蓋部材（ベース部材に対応）とを組み合わせて構成するものとしても良い。さらに、第１封印部と第２封印部とにより開封不可能になる構成であれば、基板ボックスを、ベース部材とカバー部材と他の部材とにより、３以上の部材により構成しても良い。
【０１８９】
また、第１封印部と第２封印部とが当接または対向する部分は、凹状または凸状であれば如何なる形状であっても良いが、特に、直方体に近い形状にすることが好ましい。これは、直方体は面と面との接する部分が直角となるので、カッターなどの工具により第１封印部と第２封印部との当接または対向する部分の固着を解除しようとしても、面と面とが接する直角部分においてカッターの刃先の向きが変えられず、第１封印部と第２封印部との当接または対向する部分を痕跡無く解除することが困難になるからである。
【０１９０】
また、第１封印部と第２封印部とをそれぞれ複数設ける構成としても良く、この構成では、第１封印部と第２封印部とが当接または対向する部分の面積が大きくなるので、その分、固着手段による第１封印部と第２封印部との固着を強固にすることができる。
【０１９１】
遊技機１において、前記第１封印部は、前記ベース部材またはカバー部材の一方から外方に凹状または凸状に形成される複数の第１凹凸部を有して構成され、前記第２封印部は、前記ベース部材またはカバー部材の他方から外方に凸状または凹状に形成される複数の第２凸凹部を有して構成され、前記ベース部材とカバー部材とを組み付けた状態で、前記第１凹凸部と第２凸凹部とが当接または対向する部分が複数並んで配置されることを特徴とする遊技機２。
【０１９２】
遊技機２によれば、第１封印部は、ベース部材またはカバー部材の一方から外方に凹状または凸状に形成される複数の第１凹凸部を有し、第２封印部は、ベース部材またはカバー部材の他方から外方に凸状または凹状に形成される複数の第２凸凹部を有し、ベース部材とカバー部材とを組み付けた状態で、第１凹凸部と第２凸凹部とが当接または対向する部分は、複数並んで配置される。よって、第１凹凸部と第２凸凹部とが固着手段により固着される面積が大きくなるので、第１凹凸部と第２凸凹部との固着を強固に行うことができる。また、第１凹凸部と第２凸凹部との固着面が、平面同士の固着ではなく複雑になるので、第１凹凸部と第２凸凹部とが当接または対向する部分をカッターなどの工具により痕跡なく削りとることを困難にすることができ、第１凹凸部と第２凸凹部とが固着される部分を痕跡を残さずに離脱することを困難にすることができる。
【０１９３】
また、例えば、複数の第１凹凸部または第２凸凹部が並設される間隔を、略均等で且つ短い幅とした場合には、基板ボックスの大規模化を抑制しつつ、第１凹凸部と第２凸凹部との当接または対向する部分の面積を大きく確保でき、第１凹凸部と第２凸凹部との固着をより強固に行うことができる。
【０１９４】
なお、遊技機２において、複数の第１凹凸部または複数の第２凸凹部が並設される間隔は、短い幅にした方が好ましいと共に略均等にした方が好ましい。これは、複数の第１凹凸部または複数の第２凸凹部が並設される間隔を短くすれば、基板ボックスにおいて固着手段により固着される部分が大きくなることを抑制しつつ、第１凹凸部と第２凸凹部とが当接または対向する部分の面積が大きくなるので、基板ボックスの大規模化を抑制しつつ、第１凹凸部と第２凸凹部との固着を強固に行うことができるからである。また、複数の第１凹凸部または第２凸凹部が並設される間隔を略均等にすれば、第１凹凸部と第２凸凹部との当接または対向する部分の面積を確保しつつ、並設方向において極端に薄くなる部分がなくなるので、ベース部材およびカバー部材を樹脂成形する為に製作される金型などの製作性を向上することができるからである。
【０１９５】
遊技機２において、前記ベース部材に対して前記カバー部材を第１方向にスライドさせると、前記ベース部材とカバー部材とを組み付けた状態になり、前記第１凹凸部は、前記ベース部材の外縁から反第１方向に凹状または凸状に形成されると共に、前記第２凸凹部は、前記カバー部材の外縁から前記ベース部材側に凸状または凹状に形成されることを特徴とする遊技機３。
【０１９６】
遊技機３によれば、ベース部材とカバー部材とを組み付ける場合には、ベース部材に対してカバー部材を第１方向にスライドして行われる。また、第１凹凸部は、ベース部材の外縁から反第１方向に凹状または凸状に形成され、第２凸凹部は、カバー部材の外縁からベース部材側に凸状または凹状に形成されるので、カバー部材を第１方向にスライドさせることで、第１凹凸部に対して第２凸凹部を嵌合させることができる。よって、カバー部材とベース部材とを取り付ける際に、第１凹凸部と第２凸凹部とが嵌合して、カバー部材のベース部材に対する組み付け位置が決まるので、基板ボックスの組み立ての作業性を向上できる。
【０１９７】
遊技機２又は３において、前記ベース部材またはカバー部材の一方の外縁と前記複数の第１凹凸部との間であって、前記複数の第１凹凸部の並設方向において、その第１凹凸部の両端より両側に延設される範囲に貫通形成される第１貫通口と、前記ベース部材またはカバー部材の他方の外縁と前記複数の第２凸凹部との間であって、前記複数の第２凸凹部の並設方向において、その第２凸凹部の両端より両側に延設される範囲に貫通形成される第２貫通口とを備えていることを特徴とする遊技機４。
【０１９８】
遊技機４によれば、ベース部材またはカバー部材の一方の外縁と複数の第１凹凸部との間には、複数の第１凹凸部の並設方向において、その第１凹凸部の両端より両側に延設される範囲に第１貫通口が貫通形成され、ベース部材またはカバー部材の他方の外縁と複数の第２凸凹部との間には、複数の第２凸凹部の並設方向において、その第２凸凹部の両端より両側に延設される範囲に第２貫通口が貫通形成される。よって、基板ボックスを開封するために第１凹凸部と第２凸凹部とを破壊する場合には、第１貫通口および第２貫通口の両端部分をニッパなどの工具により切断すれば、第１凹凸部および第２凸凹部の全てを一緒に切断することができるので、基板ボックスの開封時の作業性を向上することができる。
【０１９９】
遊技機１から４のいずれかにおいて、前記回路基板は、前記カバー部材に取り付けられ、前記回路基板を前記カバー部材に対して取り外し不可能に取り付ける取付手段を備え、前記カバー部材は、前記取付手段により前記回路基板が取り付けられる取付部と、その取付部の周りに形成され薄肉状または所定間隔に貫通口が形成された薄肉部とを有していることを特徴とする遊技機５。
【０２００】
遊技機５によれば、回路基板は、カバー部材に対して取り外し不可能に取付手段により取付部に取り付けられ、その取付部の周りには、薄肉状または所定間隔に貫通口が形成された薄肉部が設けられている。よって、回路基板をカバー部材に一旦取り付けると、その回路基板の取り外しが不可能になるので、回路基板をカバー部材から取り外す場合には、薄肉部を破壊して取付部と共に取り外さなければならない。従って、回路基板がカバー部材から取り外されると、薄肉部が破壊されているので、ホール関係者に回路基板が取り外されたことを簡単に確認させることができる。
【０２０１】
なお、遊技機５において、回路基板をカバー部材に取り付ける取付手段としては、一方向のみ締め付けが可能となるネジ（例えばワンウェイネジ）や、ネジの締め付けが終わった後に所定以上のトルクをかけると頭部が折れるネジ（例えば首切りネジ）などが例示される。
【０２０２】
遊技機１から５のいずれかにおいて、前記ベース部材およびカバー部材は、前記第１封印手段および第２封印手段とは別に、前記ベース部材とカバー部材とを連結する連結手段を取り付け可能な連結部をそれぞれ備えていることを特徴とする遊技機６。
【０２０３】
遊技機６によれば、ベース部材およびカバー部材には、第１封印手段および第２封印手段とは別に、ベース部材とカバー部材とを連結する連結手段を取り付け可能な連結部がそれぞれ設けられているので、第１封印手段および第２封印手段を破壊したとしても、連結手段により連結部を連結して、基板ボックスを閉鎖することができる。
【０２０４】
ここで、回路基板のチェックなどのために、第１封印手段および第２封印手段を正規に破壊すると、その後、基板ボックスを閉鎖することができないので、例えば、基板ボックスを輸送する場合には、その輸送中に回路基板と基板ボックスとがバラバラになってしまうという不具合が生じる。しかし、ベース部材およびカバー部材に連結部を設けているので、輸送の際に回路基板と基板ボックスとがバラバラになることを抑制できる。
【０２０５】
なお、連結手段と連結部とを、一旦連結したら連結解除が不可能となる構成にすれば、一旦開封された基板ボックスを輸送する間に、回路基板に搭載された電子部品が不正なものに交換されたり、不正な基板が取り付けられることを抑制することができる。
【０２０６】
遊技機１から６のいずれかにおいて、前記第１封印手段は、前記ベース部材またはカバー部材の一方から、前記ベース部材またはカバー部材の他方側に突出する複数の突出部を有して構成され、前記第２封印手段は、前記ベース部材またはカバー部材の他方に、前記ベース部材とカバー部材とを重ねた状態で、前記突出部が挿通される挿通口を有して構成されること特徴とする遊技機７。
【０２０７】
遊技機７によれば、第１封印手段は、ベース部材またはカバー部材の一方から、ベース部材またはカバー部材の他方側に突出する複数の突出部を有し、第２封印手段は、ベース部材またはカバー部材の他方に、ベース部材とカバー部材とを重ねた状態で、突出部が挿通される挿通口を有するので、突出部を挿通口に挿通した状態で固着手段によって固着がなされる。よって、突出部と挿通口とが固着手段により固着される面積が多くなるので、突出部と挿通口との固着を強固に行うことができると共に、突出部と挿通口との固着される面が平面同士の固着ではなく複雑になるので、突出部と挿通口とを痕跡を残さずに離脱することを困難にすることができる。
【０２０８】
遊技機７において、前記ベース部材に対して前記カバー部材を第１方向にスライドさせると、前記ベース部材とカバー部材とを組み付けた状態になり、前記突出部は、前記ベース部材またはカバー部材の他方側に立設される立設部と、その立設部から前記反第１方向に延設される延設部とで構成され、前記挿通口は、前記延設部が挿入される開口と、前記反第１方向となる端部から前記第１方向に向かって前記開口の一部を閉鎖する閉鎖部とで構成されていることを特徴とする遊技機８。
【０２０９】
遊技機８によれば、突出部は、ベース部材またはカバー部材の他方側に向かって立設部が立設されると共に、その立設部から反第１方向に延設部が延設され、挿通口は、延設部が挿入される開口の一部を閉鎖する閉鎖部が、反第１方向となる端部から第１方向に向かって形成されている。よって、突出部を挿通口の開口に挿入して、カバー部材をベース部材に対して第１方向にスライドさせると、突出部の延設部と閉鎖部とが当接または重なる位置に配置される。従って、ベース部材をカバー部材に対して撓ませようとしても、複数の突出部の延設部と複数の閉鎖部とによって、ベース部材の撓みを抑えることができるので、ベース部材とカバー部材とが不正に開封されることを抑制することができる。
【０２１０】
遊技機１から８のいずれかにおいて、前記遊技機はパチンコ遊技機であることを特徴とする遊技機９。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０２１１】
遊技機１から８のいずれかにおいて、前記遊技機はスロットマシンであることを特徴とする遊技機１０。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０２１２】
遊技機１から８のいずれかにおいて、前記遊技機はパチンコ遊技機とスロットマシンとを融合させたものであることを特徴とする遊技機１１。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
＜手段＞
技術的思想１記載の遊技機は、ベース部材およびカバー部材を有し、そのベース部材とカバー部材とを組み付けた状態で形成される内部空間内に、電子部品が搭載された回路基板を内包する基板ボックスを備えており、前記ベース部材またはカバー部材の一方の外縁に設けられ、少なくとも一部が凹状または凸状に形成される第１封印部と、前記ベース部材またはカバー部材の他方の外縁に設けられ、前記ベース部材とカバー部材とを組み付けた状態で前記第１封印部に当接すると共に、少なくとも一部が凸状または凹状に形成された第２封印部と、その第２封印部と第１封印部とが当接または対向する部分を、互いに離脱不可能に固着する固着手段とを備え、前記第１封印部は、前記ベース部材またはカバー部材の一方から外方に凹状または凸状に形成される複数の第１凹凸部を有して構成され、前記第２封印部は、前記ベース部材またはカバー部材の他方から外方に凸状または凹状に形成される複数の第２凸凹部を有して構成され、前記ベース部材とカバー部材とを組み付けた状態で、前記第１凹凸部と第２凸凹部とが当接または対向し前記固着手段により固着される部分が複数並設され、前記ベース部材またはカバー部材の一方の外縁と前記複数の第１凹凸部との間であって、前記複数の第１凹凸部の並設方向において、その第１凹凸部の両端より両側に延設される範囲に貫通形成される複数の第１貫通口と、前記ベース部材またはカバー部材の他方の外縁と前記複数の第２凸凹部との間であって、前記複数の第２凸凹部の並設方向において、その第２凸凹部の両端より両側に延設される範囲に貫通形成される複数の第２貫通口とを備え、前記第１貫通口および第２貫通口は、前記ベース部材とカバー部材とを組み付けた状態で互いに連通する位置に形成されると共に、前記複数の第１凹凸部および第２凹凸部の並設方向を長手方向とする細長形状に形成されている。
技術的思想２記載の遊技機は、技術的思想１記載の遊技機において、前記ベース部材およびカバー部材は、前記第１封印部および第２封印部は別に、前記ベース部材とカバー部材とを連結する連結手段を取り付け可能な連結部をそれぞれ備えている。
技術的思想３記載の遊技機は、技術的思想１又は２に記載の遊技機において、前記ベース部材に対して前記カバー部材を第１方向にスライドさせると、前記ベース部材とカバー部材とを組み付けた状態になり、前記第１凹凸部は、前記ベース部材の外縁から前記第１方向へ向けて凹状または前記第１方向とは反対側へ向けて凸状に形成されると共に、前記第２凸凹部は、前記カバー部材の外縁から前記ベース部材側へ向けて凸状または前記ベース部材側とは反対側へ向けて凹状に形成される。
技術的思想４記載の遊技機は、技術的思想１から３のいずれかに記載の遊技機において、前記回路基板は、前記カバー部材に取り付けられ、前記回路基板を前記カバー部材に対して取り外し不可能に取り付ける取付手段を備え、前記カバー部材は、前記取付手段により前記回路基板が取り付けられる取付部と、その取付部の周りに形成され薄肉状または所定間隔に貫通口が形成された薄肉部とを有している。
＜効果＞
技術的思想１記載の遊技機によれば、基板ボックスが開封されたことを簡単に確認することができるという効果がある。
技術的思想２記載の遊技機によれば、技術的思想１記載の遊技機の奏する効果に加え、第１封印部および第２封印部を破壊したとしても、連結手段により連結部を連結して、基板ボックスを閉鎖することができる。
技術的思想３記載の遊技機によれば、技術的思想１又は２に記載の遊技機の奏する効果に加え、基板ボックスの組み立ての作業性を向上できるという効果がある。
技術的思想４記載の遊技機によれば、技術的思想１から３のいずれかに記載の遊技機の奏する効果に加え、ホール関係者に回路基板が取り外されたことを簡単に確認させることができるという効果がある。
【符号の説明】
【０２１３】
１０              パチンコ機（遊技機）
１００            基板ボックス
１１０            主制御装置
１１０ａ          制御基板（回路基板）
１５０            ベース（ベース部材）
１５４            突起（突出部）
１５４ａ          立壁部（突出部の一部、立設部）
１５４ｂ          延設壁（突出部の一部、延設部）
１５６            ベース連結部（連結部）
１５７            ベース封印部（第１封印部）
１５８            ベース突出部（第１封印部の一部、第１凹凸部）
１５９            ベース貫通口（第１封印部の一部、第１貫通口）
１７０            カバー（カバー部材）
１７１ｃ          貫通口（薄肉部）
１７１ｄ          取付部
１７３            挿通部
１７３ａ          挿通口
１７３ｃ          閉鎖壁（閉鎖部）
１７５            カバー連結部（連結部）
１７６            カバー封印部（第２封印部）
１７７            カバー突出部（第２封印部の一部、第２凸凹部）
１７８            カバー貫通口（第２封印部の一部、第２貫通口）
１８０            ネジ（取付手段）
【図１】
0005949880.tif 000002
【図２】
0005949880.tif 000003
【図３】
0005949880.tif 000004
【図４】
0005949880.tif 000005
【図５】
0005949880.tif 000006
【図６】
0005949880.tif 000007
【図７】
0005949880.tif 000008
【図８】
0005949880.tif 000009
【図９】
0005949880.tif 000010
【図１０】
0005949880.tif 000011